(57)【要約】  本発明は、テキスタイルマザーボード（ＴＭＴ）に関する。このテキスタイルマザーボード（ＴＭＴ）は、特に、衣服、コート、および服飾ガウンに使用することができ、少なくとも１つの中央処理ユニット（ＣＰＵ）、または周辺要素、またはそれらの組み合わせを含み、着用者のパラメータに関して、監視、報告、および制御を行うことができる。衣服は、人、または人以外のユーザが使用して着用することができる。衣服のテキスタイルは、ＴＭＴを形成するための基板層として機能する。ＴＭＴは、複数層構造およびＶＩＡ（ｖｅｒｔｉｃａｌ  ｉｎｔｅｒｃｏｎｎｅｃｔ  ａｃｃｅｓｓ）を有することができる。ＴＭＴは、ＣＰＵと情報記憶手段との間、また周辺要素の組み合わせも含めてそれらの間で信号を伝達することができるテキスタイル材料で形成されている。層およびＶＩＡの構成は、紡織、スタンプ、印刷等の、公知のテキスタイル操作技術を使用して組み入れることができる。各要素は、モジュラー化されて、交換可能であり、クリップ、ホック、または同様の要素等のテキスタイルコネクタを使用してＴＭＴに取り付けることができる。ＴＭＴ、ＣＰＵ、および周辺要素は、洗濯可能である。ＣＰＵ、および各周辺要素は、個別電子回路素子、または個別光回路素子を使用して、剛性または可撓性の、テキスタイル基板またはＰＣＢ（印刷回路基板）上に実装することができる。ＣＰＵは、マイクロコントローラ、マイクロプロセッサ、または同等の要素を含む。周辺要素は、光トランスデューサ、または電子トランスデューサ、またはそれらの組み合わせを含む。これらは、特に、静電容量センサ、脈拍計、湿度センサ、温度計、加速度計、ジャイロスコープ等である。周辺要素はまた、スクリーン、または無線周波数シリアル通信（特にＢｌｕｅｔｏｏｔｈ（登録商標）、Ｚｉｇｂｅｅ技術を含む）モジュール、「Ｗｉ−Ｆｉ」モジュール、または同様の要素も含むことができる。【選択図】図９
2017518145.tif 000002
【特許請求の範囲】
【請求項１】
テキスタイルマザーボードであって、上に少なくとも１つの周辺要素が組み込まれた少なくとも１つの基板層と、１つの中央処理ユニットとで構成され、前記少なくとも１つの周辺要素は、テキスタイルスイッチに適合され、前記テキスタイルスイッチは、導電性がない区画と最大導電度の区画とを有する分離基板層で構成されていることを特徴とするテキスタイルマザーボード。
【請求項２】
前記テキスタイルマザーボードは、論理ゲートのパタンに従った所定の位置に配置された複数のスイッチを組み込んでいることを特徴とする、請求項１に記載のテキスタイルマザーボード。
【請求項３】
前記テキスタイルスイッチの数および相互接続は、どちらも、組み合わせ論理に基づいていることを特徴とする、請求項２に記載のテキスタイルマザーボード。
【請求項４】
前記スイッチの前記数は、２＾Ｎ−１なる表式を使用して選択され、Ｎは、利用可能な入力の数であることを特徴とする、請求項３に記載のテキスタイルマザーボード。
【請求項５】
前記テキスタイルスイッチの最大導電度の前記区画は、特定のパタンに従って配置され、前記特定のパタンは、前記分離基板層の穿孔に対応していることを特徴とする、請求項４に記載のテキスタイルマザーボード。
【請求項６】
前記テキスタイルスイッチの最小導電度の前記区画は、特定のパタンに従って配置されていることを特徴とする、請求項４に記載のテキスタイルマザーボード。
【請求項７】
学習を刺激するシステムであって、前記システムは、請求項１〜６のいずれか１項に記載のテキスタイルマザーボードと、テキスタイル相互通信モジュールと、電子装置とによって構成され、前記電子装置は、前記テキスタイルマザーボードがユーザによって操作されているときに、前記テキスタイルマザーボードから入力される信号を受信するように構成されていることを特徴とするシステム。
【請求項８】
前記テキスタイルマザーボードは、衣服の中に組み込まれ、前記スイッチは、前記装置へのコマンドが可能であることを特徴とする、請求項７に記載のシステム。
【請求項９】
請求項１〜６のいずれか１項に記載のテキスタイルマザーボードで構成された、監視を行うためのシステムであって、前記基板層は、衣服、またはベッドルームテキスタイル、またはベッドリネンとして構成されていることを特徴とするシステム。
【請求項１０】
少なくとも１つの導電性テキスタイル基板材料と分離基板材料とで構成されるテキスタイルスイッチであって、前記分離材料は、最大導電度の区画と導電性がない区画とを画定することができるパタンを組み込んでいることを特徴とするテキスタイルスイッチ。
【請求項１１】
前記導電性基板層と、前記分離基板層の最大導電度の区画とは、数が一致していることを特徴とする、請求項１０に記載のテキスタイルスイッチ。
【請求項１２】
追加の導電性基板層を組み込んでいることを特徴とする、請求項１１に記載のテキスタイルスイッチ。
【請求項１３】
前記分離基板層は、前記導電性基板層の間に配置されていることを特徴とする、請求項１２に記載のテキスタイルスイッチ。
【請求項１４】
前記第１の基板層は、複数の導電性区画を組み込んでいることを特徴とする、請求項１３に記載のテキスタイルスイッチ。 
【発明の詳細な説明】
【技術分野】
【０００１】
本明細書は、代表的なテキスタイルマザーボードに関する。より詳細には、非限定的な例であるが、衣服、毛布、タオル、テーブルクロス、ガウン等の医療用、商用、家族介護用として、またはスポーツ分野において使用することができるテキスタイルマザーボードに関する。
【０００２】
発明の主な目的
本発明の主な目的は、インテリジェントテキスタイルを提供することである。インテリジェントテキスタイルは、ユーザが着用、または使用することができ、これにより、ユーザが関心を持つパラメータに関して、監視、情報伝達を行い、またユーザによる制御を行うことができるようにするものである。
【０００３】
テキスタイルは、少なくとも１つのテキスタイルマザーボードＴＭＢを組み込むことにより、インテリジェント化することができる。テキスタイルマザーボードＴＭＢは、アナログおよび／またはディジタルの、電気信号および／または光信号を使用して機能することができる。更に、少なくとも１つの中央処理ユニットＣＰＵまたは少なくとも１つの周辺要素を、ＴＭＢに接続することができ、これにより、インテリジェントテキスタイルに対して、上記で述べた特徴の１つを付与することができる。柔軟性を向上させるために、ＴＭＢの設計は、モジュール化され、更には、ＣＰＵおよび周辺要素は、それぞれ、交換可能として使用することができる。
【０００４】
ＣＰＵと周辺要素とを含むＴＭＢの第１の代表的構成においては、インテリジェントテキスタイルは、監視機能を実行することができる。例えば、ＴＭＢを有するインテリジェントテキスタイルは、温度、オプションメニューからの選択、太陽光への露出、脈拍等の、ユーザパラメータを監視することができる。
【０００５】
ＣＰＵと周辺要素とを含むＴＭＢの代表的な別の実施形態においては、インテリジェントテキスタイルは、その着用者に対して、事象に関する情報を伝達することができる。例えば、ＴＭＢを有するインテリジェントテキスタイルは、その着用者に対して、可視、振動、または可聴警報を通して、湿気の存在を知らせることができる。更に、ＴＭＢを有するインテリジェントテキスタイルは、着用者のタブレットまたはスマートフォン等の携帯装置に対して、例えば着用者のスポーツの際等の、更なる情報を伝達することができる。
【０００６】
最後に、ＣＰＵおよび周辺要素を備え、制御することができるように設計されているＴＭＢのさらに別の代表的な構成においては、インテリジェントテキスタイルは、関心のあるさまざまな対象物を操作するためのプラットフォームとして機能することができる。例えば、ＴＭＢを有するインテリジェントテキスタイルは、例えばオプションメニューを選択することにより、第三者への支援のための呼び出しを行うことができる。また、同様の実施形態においては、公共施設の照明を制御することも可能である。更に、ＴＭＢ内の周辺要素を適切に構成することにより、所定の装置（タブレット、または同様の装置等）を制御することができ、これにより、例えば、アプリケーションを使用して、ユーザと上記した装置との間で、対話を実行することができる。
【背景技術】
【０００７】
生理的パラメータを監視するための３つの電極を有する衣服が存在する（例えば、特許文献１）。この衣服は、少なくとも３つの電極を備え、その着用者の、少なくとも１つの生理的事象を監視する。特に、それらの内の１つの電極は、検出プロセスで発生する雑音に対して、フィードバック機構として反転雑音信号を送信し、それにより、検出プロセスで発生する雑音を除去することができる。このシステムは、特に、心電図または心拍周波数等のユーザの電気的特性を測定するように設計されている。
【０００８】
同様の装置の別の例が、特許文献２に記載されている。この装置は、生理学的監視が可能な衣服で構成されている。測定センサは、衣服に組み込まれている。生理学的特性を監視する装置は、衣服の背面に配置され、衣服と一体化させて固定することができる。また、衣服から取り外すこともできる。
【０００９】
このタイプの装置の更なる例は、特許文献３に記載されている。この例は、生理学的監視衣服で構成されている。この手法では、電気計測は、皮膚表面から衣服に至るファイバを使用して行われ、衣服は、マイクロプロセッサ、遠隔測定システム、電源を有し、これにより、心電図データを監視し、送信することができる。衣服に取り付けられたマイクロプロセッサは、取り外し可能であり、これにより、皮膚に接触した衣服は、洗濯することができる。システムはまた、逆の方向で使用することができ、これにより、身体に電気刺激を与えることができる。
【００１０】
これらのタイプの装置の別の例は、特許文献４に記載されている。この例は、生理学的および環境監視、更には位置情報を提供することができる衣服で構成されている。この提案は、健康状態を監視する能力を有する衣服、または衣服システムである。この衣服は、心電図センサ、健康状態を監視する他のセンサ、プロセッサ、導電性ファイバ、ならびに通信ユニット等、様々な機能要素を備え、これにより、生理学的データ、環境データ、および位置データを送信することができる。
【００１１】
この種の装置の最後の例は、特許文献５に記載されている。この例は、監視システムである。この例は、ユーザの身体の健康状態を示す１つ以上のパラメータを測定するようになっている１つ以上のセンサを有する監視システムを提案している。またこの提案は、データを収集して、それを所定の情報と比較する評価システムも含んでいる。少なくとも１つのセンサは、衣服の中に組み込まれている。
【先行技術文献】
【特許文献】
【００１２】
【特許文献１】米国特許出願公開第２００７／００７８３２４号明細書（２００７年５月４日、Ｒａｖｉｎｄｒａ  Ｗｉｊｉｓｉｒｉｗａｒｄａｎａに特許付与された）
【特許文献２】米国特許第８３４０７４０号明細書（２０１２年１２月２５日、Ｃｈｒｉｓｔｉａｎ  Ｈｏｌｚｅｒ、Ｔｈｏｒｓｔｅｎ  Ｈａｂｅｌ、およびＭａｒｔｉｎ  Ｇｉｅｒｉｃｈに特許付与された）
【特許文献３】米国特許出願公開第２００３／０２１２３１９号明細書（２００３年１１月１３日、Ａｌａｎ  Ｒｅｍｙ  Ｍａｇｉｌｌに特許付与された）
【特許文献４】米国特許出願公開第２０１２／０１３６２３１号明細書（２０１２年５月３１日、Ｇａｌ  Ｍａｒｋｅｌに特許付与された）
【特許文献５】国際特許出願公開第２０１１／１３１２３５号明細書（２０１１年１０月２７日、Ｊａｖｉｅｒ  Ｇｕｉｌｌｅｎ  ＡｒｒｅｎｄｏｄｏおよびＳｅｒｇｉｏ  Ｇｕｉｌｌｅｎ  Ｂａｒｒｉｏｎｕｅｖｏに特許付与された）
【発明の概要】
【発明が解決しようとする課題】
【００１３】
これら衣服は、生理学的パラメータを監視することができるが、現状技術で知られている手法は、装置の設計に組み込まれたテキスタイルマザーボード方式を有していない。
【００１４】
更に、一部の装置は、取り外し可能であっても、それらは、モジュール形式ではなく、また、交換可能であるという特徴は記載されていない。例えば、装置が、心拍周波数を監視するように設計されていれば、この設計により、例えば、温度等の、他のパラメータを監視することはできない。従って、完全に新しい装置を使用する必要がある。
【００１５】
また、現在の技術では、オプションメニュー（テキスタイルのオプションメニューであることが望ましい）を選択して、関心のある対象（公共施設の照明、装置との対話、またはコンピュータアプリケーション等）に関して、これを操作するというテキスタイルの能力には欠けている。
【００１６】
上記した現状技術の課題に対処するために、本発明の目的は、テキスタイルマザーボード（ＴＭＢ）の構成を提供する実施形態を開示することである。ＴＭＢの基質、本発明の目的は、テキスタイル材料に適合している。更に、ＴＭＢは、単層または複数層の設計で構成することができ、層の相互接続のための穿孔を組み込むことができる。層および穿孔は、テキスタイル材料に適合し、テキスタイル操作技術によってＴＭＢに組み込むことができる。
【課題を解決するための手段】
【００１７】
ＴＭＢのルーティングは、少なくとも２つの異なる型のルーティングを含み、これらは、迷路ルーティング、およびＸ−Ｙルーティングである。どちらの型のルーティングも、ＴＭＢの中で実施することができる。例えば、テキスタイル印刷技術を利用して、または要求されるパタンに従ってテキスタイル操作技術を使用して、ルーティングを組み込むことにより、実施することができる。
【００１８】
周辺要素は、一般に、入力周辺要素と、出力周辺要素とに分類することができる。柔軟性を向上させるために、ＴＭＢは、ＣＰＵおよび周辺要素の中に端子を組み込んでいる。これにより、従来のテキスタイルコネクタを使用することができ、ＴＭＢの設計をモジュール化し、かつ交換可能にすることができる。
【００１９】
最後に、入力周辺要素と出力周辺要素とを含む交換可能なＴＭＢ設計によって、オプションメニューを選択して公共施設の照明を操作する等の、ユーザが関心を持つ対象を操作することができるようになる。同様に、ユーザは、ＴＭＢ内に適切に取り入れられた周辺要素の所定の構成を使用して、装置との対話活動を行うことができる。周辺要素の所定の構成は、衣服または他のテキスタイルとして、ユーザに適合させることができる。
【００２０】
ＴＭＢは、テキスタイル周辺要素に適合した、導電性テキスタイル材料の少なくとも１つの層で構成され、テキスタイル周辺要素は、制御装置に対して、少なくとも１つの信号を送信することができる。制御装置は、着脱可能、もしくは交換可能な様式で、ＴＭＢの内部に配置される。
【００２１】
周辺要素は、実行するべき所望の活動に応じて、異なる構成を有することができる。代表的な実施形態は、電池ホルダ、バス（ルーティングとも呼ばれる）、コネクタ、ジャンパ、パッド、ソケット、スイッチ、ＶＩＡ等を含んでいる。
【００２２】
代表的なテキスタイル周辺要素は、ノーマリーオープンスイッチとノーマリークローズスイッチとを含み、ノーマリーオープンスイッチおよびノーマリークローズスイッチは、少なくとも、１極（ｐｏｌｅ）１投（ｔｈｒｏｗ）（１Ｐ１Ｔ）スイッチ、１極２投（１Ｐ２Ｔ）スイッチ、または１極３投（１Ｐ３Ｔ）スイッチとして作動する。これらのスイッチは、導電層に適合し、パッドまたは接触区画、および分離層から形成される。分離層は、導電層またはパッド間に配置される。分離層は、特定の接触区画を生成するように構成され、これにより、導電性テキスタイルの間の不慮の接触を防止することができる。本発明の設計によって、周辺要素の中に、導電性がない区画と最大導電度の区画とを有するスイッチを形成することができる。
【００２３】
インテリジェントテキスタイルに適合させるために使用可能な代表的な周辺要素は、テキスタイル工業界で従来から使用されている要素を使用して実現することができる。これらは、スナップ、ファスナ、ホック、ピン等である。Ｎ極Ｎ投（ＮＰＮＴ）スイッチの特定の実施形態は、一般的に利用可能なテキスタイル要素を利用して構成することができる。これらは、導電性ジッパ、またはスライドファスナ等であり、ジッパの各金属歯または導電性歯、またはスライド部分は、極（ｐｏｌｅ）または投（ｔｈｒｏｗ）として使用することができる。別の代表的実施形態においては、ピンは、所定のＴＭＢの周辺要素に対する接触ノードとしての機能を実行することも可能である。
【００２４】
バス等の他の代表的周辺要素は、異なる要素に対する接触ポートまたは接続ポートとして構成することができる。この場合、相互接続に対しては、スナップ要素またはホック要素を使用することができる。これらは、どちらも、テキスタイル工業界で一般的に使用されている。更に、パッド等の代表的周辺要素を使用すれば、スナップおよびバス等の要素間の適切な接触を確保することができる。
【００２５】
所望の構成、および使用するポートまたはバスの数に応じて、所定の数のスナップ、またはホック、更にはパッドが使用される。これらの要素は、手縫いまたは機械縫い等の従来のテキスタイル操作技術により、導電性テキスタイルを使用して、基板（分離層）または導電性テキスタイルに配置され、固着される。これにより、所望の接続を得ることができる。
【００２６】
更なる代表的なテキスタイル周辺要素は、テキスタイル基板層上の導電性ルーティングまたは導電性プリントを使用して、ソケットとして、穿孔、またはコネクタと適合させることができ、これにより、所望の、光集積回路（ＰＩＣ）、電子集積回路、または更なる要素を収容することができる。この型の周辺要素には、スナップを組み込むことができ、従って、再配置可能であり、モジュラー化されている。これにより、ＴＭＢは、異なる機能を有する他の周辺要素も、収容することができる。従って、ＴＭＢは、単に、このソケットを交換するだけ、またはソケットが含むモジュールを交換するだけで、異なる機能を有する他の周辺要素も収容できるようになる。
【００２７】
本発明の実施形態において、異なるスイッチの代表的な組み合わせにより、電気電子装置を制御することができ、これにより、ユーザは、これら電気または電子装置と対話を行うことができる。この場合、本発明の好適な実施形態として、衣服（特にシャツであることが望ましい）として具体化することができる。これにより、ユーザは、装置と対話および装置の制御を行うことができ、幼児学習刺激システムとして使用することができる。
【００２８】
本発明の別の実施形態として、ベッドカバーまたはベッドマットレス等のベッドルームテキスタイル、またはベッドルームリネンとすることができる。これにより、高齢者の所在監視に使用することができる。この場合には、湿度検出器を含ませることが望ましい。
【００２９】
本発明の他の実施形態として、ユーザの体温測定、およびユーザの関心がある他のパラメータを測定できるブレスレットの形態とすることができる。
【００３０】
本発明の別の実施形態では、幼児用衣服として、幼児の生存兆候、湿度、運動、更には、幼児に関する他のパラメータを監視し、かつ測定するように構成される。
【００３１】
上記の装置は、更に、無線周波数通信モジュール（Ｚｉｇｂｅｅ、Ｂｌｕｅｔｏｏｔｈ（登録商標）等を使用）または「Ｗｉ−Ｆｉ」通信モジュールを収容することができる。これらは、同様にテキスタイル要素を使用して設計され、ＴＭＢの中で、交換可能な様式で使用することができる。
【図面の簡単な説明】
【００３２】
【図１Ａ】単層テキスタイルマザーボード（ＴＭＢ）の代表的な実施形態を示す図である。
【図１Ｂ】多層テキスタイルマザーボードの代表的な実施形態の断面図である。複数の層の間の相互接続のために使用される 「ＶＩＡ」は、強調表示されている。
【図２Ａ】図１Ａに示された実施形態において、ＴＭＢに適合するテキスタイル材料の使用を示す図である。
【図２Ｂ】多層テキスタイルマザーボードの実施形態の断面図である。層は、テキスタイルの前面および背面の部分に組み込まれており、中央部で分離されている。
【図２Ｃ】ルーティングがマザーボードの最上層で実行されると仮定した場合に、テキスタイル衣服にＸ−Ｙルーティングを適用した実施形態を示す図である。
【図３】交換可能な入力装置および出力装置を有するインテリジェントベストのレイアウト実施形態を示す図である。
【図４】従来のテキスタイルコネクタを使用して、モジュール化と交換可能な設計を行った実施形態を示す図である。
【図５】インテリジェントテーブルクロスの実施形態を示す図である。インテリジェントテーブルクロスは、オプションメニュー（テキスタイルの）を選択して、公共施設の照明等の、ユーザが関心を持つ対象を操作することができる。
【図６】ＴＭＢの周辺要素として機能することができる１極１投テキスタイルスイッチを示す図である。
【図６ａ】図６に示す代表的なテキスタイルスイッチに対する、均一なパタンを有する分離層を示す図である。スイッチは、均一な活性区画を有している。
【図７】ＴＭＢの周辺要素として機能することができる１極２投テキスタイルスイッチを示す図である。
【図７ａ】図７に示す代表的なテキスタイルスイッチに対する、分割パタンを有する分離層を示す図である。スイッチは、２つの別々の活性区画を有する。
【図８】ＴＭＢの周辺要素として機能することができる１極３投テキスタイルスイッチを示す図である。
【図８ａ】図８に示す代表的なテキスタイルスイッチに対する、３つの区画を有する分離層を示す図である。スイッチは、３つの活性区画を有する。
【図９】幼児のための学習刺激衣服に対するＴＭＢの設計を示す図である。ＴＭＢは、テキスタイル論理ゲートを組み込み、これにより、組み合わせ論理を形成することができる。
【図１０】ＴＭＢに基づく通信モジュールソケットの実施形態を示す図である。
【図１１ａ】コネクタソケット、すなわちＴＭＢ内の周辺要素を接続するためのソケットを示す図である。コネクタは、テキスタイル操作の技術分野で公知のスナップである。
【図１１ｂ】コネクタソケット、すなわちＴＭＢ内の周辺要素を接続するためのソケットを示す図である。コネクタは、テキスタイル操作の技術分野で公知のホックである。
【図１１ｃ】コネクタソケット、すなわちＴＭＢ内の周辺要素を接続するためのソケットを示す図である。コネクタは、テキスタイル操作の技術分野で公知の、ベルクロ（登録商標）等の、ホックと輪システム（面ファスナー）である。
【図１２】接触ゾーン、すなわちテキスタイル材料に適合したパッドの実施形態を示す図である。パッドは、これを使用して、スナップまたはピン等の要素を、ＴＭＢのバスまたはルーティングと結合させることができる。
【図１３】温度監視ブレスレットのＴＭＢ設計を示す図である。ＴＭＢは、ベルクロ（登録商標）等のホックと輪コネクタ（面ファスナー）で形成した２極２投スイッチを含んでいる。
【図１４】電池ホルダ用ＴＭＢの設計を示す図である。電池ホルダは、個々の、または埋め込みのＴＭＢ周辺要素として機能することができる。
【図１５ａ】ベッドカバー、ベッドシーツ、またはベッドマットレス等のベッドルームテキスタイル、またはベッドルームリネンの監視を行うためのＴＭＢ設計を示す図である。ＴＭＢは、テキスタイル論理ゲートを組み込むことができ、これにより、組み合わせ論理によって液体の存在を検出することができる。
【図１５ｂ】ベッドカバー、ベッドシーツ、またはベッドマットレス等のベッドルームテキスタイル、またはベッドルームリネンの監視を行うためのＴＭＢ設計を示す図である。ＴＭＢは、テキスタイル論理ゲートを組み込むことができ、これにより、組み合わせ論理によって液体の存在を検出することができる。
【図１５ｃ】ベッドカバー、ベッドシーツ、またはベッドマットレス等のベッドルームテキスタイル、またはベッドルームリネンの監視を行うためのＴＭＢ設計を示す図である。ＴＭＢは、テキスタイル論理ゲートを組み込むことができ、これにより、組み合わせ論理によって液体の存在を検出することができる。
【図１５ｄ】ベッドカバー、ベッドシーツ、またはベッドマットレス等のベッドルームテキスタイル、またはベッドルームリネンの監視を行うためのＴＭＢ設計を示す図である。ＴＭＢは、テキスタイル論理ゲートを組み込むことができ、これにより、組み合わせ論理によって液体の存在を検出することができる。
【図１６】湿度、温度、または動きを監視することができる幼児用衣服のためのＴＭＢ設計を示す図である。
【発明を実施するための形態】
【００３３】
本発明は、衣服、毛布、タオル、テーブルクロス、ガウン等で使用することができる装置に関する。この装置は、第１の要素（１００）、第２の要素（２００）、第３の要素（３００）、第４の要素（４００）、および第５の要素（５００）から構成することができる。
【００３４】
第１の要素（１００）は、テキスタイルマザーボード（１００）ＴＭＢで構成されている。 ＴＭＢの設計は、モジュール式であり、ＴＭＢ内の要素は、交換可能にすることができる。ＴＭＢは、コネクタを利用して、中央処理ユニット（１０２）または周辺要素（１０３）等の代表的な構成要素を組み込むことができる。
【００３５】
ＴＭＢ（１００）の代表的な実施形態を図１Ａに示す。この代表的な実施形態においては、ＴＭＢ（１００）は、少なくとも１つの基板層と、少なくとも１つの端子とから構成されている。少なくとも１つの基板層は、少なくとも１つの導電性ルーティング（１０１）を有し、少なくとも１つの端子は、少なくとも１つの導電性ルーティング（１０１）に接続され、ＴＭＢ（１００）は、ＣＰＵ（１０２）または周辺要素（１０３）、またはそれらの組み合わせ等の代表的要素を組み込むことができる。
【００３６】
ＴＭＢ（１００）は、使用する周辺要素（１０３）およびＣＰＵ（１０２）を構成する機能を有する電子回路または光回路を画定する。これを使用することにより、ＴＭＢを組み込んでいる製品の意図する目的に従って、情報を監視、操作するとともに、情報を信号化して、伝達、または制御することができる。
【００３７】
ＴＭＢの代表的な実施形態を、図１Ｂに示す。図１Ｂは、多層構成（１０４）であり、層間接続のための穿孔（１０９、１１０、１１１）も示されている。これらの相互接続穿孔は、当業者には、垂直相互接続アクセス（Ｖｅｒｔｉｃａｌ  Ｉｎｔｅｒｃｏｎｎｅｃｔ  Ａｃｃｅｓｓ）すなわち、「ＶＩＡ」として知られている。
【００３８】
第１の代表的な層（１０５）は、第１のディジタルまたはアナログ信号を伝達するためのプラットフォームとして機能することができる。第２の代表的な層（１０６）は、第２のディジタルまたはアナログ信号を伝達するためのプラットフォームとして機能することができる。第３の代表的な層（１０７）は、一定の電気信号または光信号を提供するためのプラットフォームとして機能することができる。第４の代表的な層（１０８）は、基準値を提供するためのプラットフォームとして機能することができる。
【００３９】
第３および第４の代表的な層の前述の説明において、それぞれ、例えば+５Ｖおよび０Ｖの信号とすることができる。前述の層は、設計の際に必要に応じて、繰り返し使用することができる。この層構造は例示であり、特定のＴＭＢの実施形態に限定されるものではない。
【００４０】
図１Ｂに示す本発明の代表な実施形態においては、層間接続は、穿孔（１０９、１１０、１１１）または垂直相互接続アクセス（Ｖｅｒｔｉｃａｌ  Ｉｎｔｅｒｃｏｎｎｅｃｔ  Ａｃｃｅｓｓ）（当業者には「ＶＩＡ」として知られている））を利用することによって行なわれる。第１の代表的なＶＩＡは、タグＶＩＡ（１０９）として使用することができる。第２の代表的なＶＩＡは、スルーＶＩＡ（１１０）として使用することができる。第３の代表的なＶＩＡは、シーケンシャルＶＩＡ（１１１）として使用することができる。更なる代表的なＶＩＡは、写真によって定義されたＶＩＡ、深さ制御されたＶＩＡ、または埋め込みＶＩＡを含むことができる。ここに挙げたＶＩＡは、例示であって、特定のＴＭＢの実施形態に限定されるものではない。
【００４１】
第２の要素（２００）は、電気および／または光信号における、ディジタル信号および／またはアナログ信号、またはそれらの組み合わせを送信する能力、および分離する能力を有するテキスタイル材料で構成されている。図２Ａは、ＴＭＢ基板の代表的な実施形態を示す。このＴＭＢ基板は、テキスタイル材料に適合している。このような代表的な基板（１００）においては、ルーティング構造（２００）を組み込むことができ、これにより、要素（２０１）に入力する信号、また要素（２０１）から出力する信号の伝達を行うことができる。
【００４２】
ＴＭＢ（１００）内のルーティング構造（２００）は、電気導体テキスタイルで構成することができる。このテキスタイル構成は、光ファイバまたは導波路、更には、導電性ルーティングを有する印刷テキスタイルまたはスタンプテキスタイルを組み込むことができる。
【００４３】
代表的なＴＭＢは、当業者には公知の、編みテキスタイルまたは織りテキスタイルで構成することができる。編みテキスタイルまたは織りテキスタイルによって、基板層（１００）が画定され、その中に導電性テキスタイル（２００）を適切に挿入することによって、回路に対する意図したルーティングを実現することができる。代表的な導電性テキスタイル（２００）は、端子からＣＰＵ（２０１）に向かって延びることができる。または、特定の機能に対しては、所望の伸長を与えることができ、これにより、所定の導電性ルーティングを画定することができる。
【００４４】
図２Ｂに示す本発明の代表的な実施形態においては、ＴＭＢは、複数の層のテキスタイル構造を有することができる。このテキスタイルは、編みテキスタイルまたは織りテキスタイル、さらにはスタンプテキスタイルまたは印刷テキスタイルが、層（１０４）として機能することができ、それぞれが、独立な導電性ルーティング（２０２、２０３、２０４、２０５）を画定している。この場合には、分離層を重ねることができ、これによりルーティング間における干渉を防止するとともに、テキスタイルＶＩＡ（２０６）を通して、異なる導電性ルーティング間の相互接続を行うことができる。
【００４５】
本発明の代表的な１つの実施形態においては、ＴＭＢは、同時に分離層として機能する基板層（１００）を組み込むことができる。更に、編みテキスタイルまたは織りテキスタイルの構成においては、導電性ルーティングを画定するスタンプ、または印刷（２００）は、単一の平面内で相互に隣接して配置し、分離層によって分離することができる。ＴＭＢの更に別の代表的な実施形態においては、編みテキスタイルまたは織りテキスタイル構成において、導電性ルーティングを画定するスタンプ、または印刷（１０４）は、分離層と、交互に重ねて配置することができる（２０２、２０３、２０４、２０５）。
【００４６】
編みテキスタイルまたは織りテキスタイルが、単一の層だけに存在する場合には、他の編みテキスタイルまたは織りテキスタイルを使用することにより、代表的な相互接続を実現することができる。この場合、他の編みテキスタイルまたは織りテキスタイルが、前記した代表的な相互接続を画定する。単一層だけに存在する印刷の間の代表的な相互接続は、他の印刷を使用して実現することができる。この場合、他の印刷が、上述の代表的な相互接続を画定する。単一層だけに存在するスタンプの間の代表的な相互接続は、他のスタンプを使用して実現することができる。この場合、他のスタンプが、上述の代表的な相互接続を画定する。
【００４７】
編みテキスタイルまたは織りテキスタイルが複数の層に存在する場合には、他の編みテキスタイルまたは織りテキスタイルを使用することにより、代表的な相互接続を実現することができる。この場合、他の編みテキスタイルまたは織りテキスタイルが、上述の代表的な相互接続を画定する。複数の層に存在する印刷の間の代表的な相互接続は、他の印刷を使用して実現することができる。この場合、他の印刷が、上述の代表的な相互接続を画定する。複数の層に存在するスタンプの間の代表的な相互接続は、他のスタンプを使用して実現することができる。この場合、他のスタンプが、上述の代表的な相互接続を画定する。
【００４８】
代表的な導電性ルーティング（２００）、層（２０２、２０３、２０４、２０５）、およびＶＩＡ（２０６）は、テキスタイル材料と適合させ、また、テキスタイル操作技術を使用することによって実現することができる。第１の層（２０２）は、テキスタイルの前面部に組み込むことができる。第２の層（２０３）および第３の層（２０４）は、分離することができる。第４の層（２０５）は、テキスタイルの背面部に組み込むことができる。更に、第１の層（２０２）、第２の層（２０３）、第３の層（２０４）、および第４の層（２０５）のそれぞれは、別々のテキスタイルを利用することにより、適合させることができる。
【００４９】
ＴＭＢ（１００）の代表的な導電性のルーティング（２００）、層（２０２、２０３、２０４、２０５）、およびＶＩＡ（２０６）は、例えば、編みテキスタイルまたは織りテキスタイル、スタンプ、穿孔、更にはテキスタイル上への印刷等の、公知のテキスタイル操作技術を使用して実現することができる。
【００５０】
図２Ｃに示す本開示の代表的な実施形態は、ＴＭＢ（１００）のルーティングを示している。ＴＭＢ（１００）のルーティングは、少なくとも２つの異なる型のルーティングを含んでいる。これらは、迷路ルーティングおよびＸ−Ｙルーティング（２０７）である。これらどちらの型のルーティングも、ＴＭＢ（１００）の中で実現することができる。これは、例えば、テキスタイル印刷技術を使用することにより、または要求されるパタンに従ってテキスタイル操作技術を使用してルーティングを埋め込むことにより、実現することができる。ルーティングは、ＣＰＵ（２０８）と情報レジスタ手段（２０９）との間で、またはＣＰＵと周辺要素（２０９）の組み合わせとの間で、信号を伝達することができる。
【００５１】
第３の要素（３００）、第４の要素（４００）、および第５の要素（５００）は、それぞれ、ＣＰＵ（３００）、入力周辺要素（４００）、および出力周辺要素（５００）である。ＣＰＵ（３００）、入力周辺要素（４００）、および出力周辺要素（５００）は、ＴＭＢ（１００）に接続されている。これらは、図３に示す代表的な実施形態の中に示されている。ＴＭＢ（１００）のこのような代表的な実施形態は、ＣＰＵ（３００）または周辺要素（４００、５００）が交換可能であるという事実によって特徴付けられ、これにより、種々の異なる変数に関して、監視、信号化、情報伝達、および制御が可能になる。この代表的な実施形態においては、ＴＭＢ（１００）、ルーティング（２００）、ＣＰＵ（３００）、および周辺要素（４００、５００）は、洗濯可能である。
【００５２】
代表的なＣＰＵ（３００）および周辺要素（４００、５００）は、テキスタイル基板ばかりでなく、剛性または可撓性プリント回路基板ＰＣＢ上に実装することができる。各代表的な基板は、個別電子回路素子（例えば抵抗器、集積回路、キャパシタ等）、または個別光回路素子（例えば、ブラッグ格子、ビーム分割器、干渉計等）を組み込むことができる。
【００５３】
代表的なＣＰＵ（３００）は、光装置または電子装置で構成することができる。光装置または電子装置は、周辺要素によって送信された信号を処理し、適切な周辺要素を使用して情報を送信することができる。代表的なＣＰＵ（３００）は、マイクロコントローラ、またはマイクロプロセッサ、または同様の要素を含むことができる。
【００５４】
ＣＰＵ（３００）は、テキスタイルルーティング（２００）を使用して周辺要素（４００、５００）と接続することができる。ＴＭＢ（１００）の周辺要素（４００、５００）は、おおまかに、入力周辺要素（４００）および出力周辺要素（５００）に分類することができる。
【００５５】
代表的な入力周辺要素（４００）は、光トランスデューサまたは電子トランスデューサ、またはそれらの組み合わせ等の要素で構成される。従って、代表的な入力周辺要素（４００）は、静電容量センサ、または温度センサ、または加速度計、または呼吸周波数センサ、または湿度センサ、または磁力計、または胸部拡張センサ、またはジャイロスコープ、または脈拍センサ、または筋肉活動センサ、または同様の装置を含むことができる。
【００５６】
代表的な出力周辺要素（５００）は、種々の要素を含むことができる。これら種々の要素は、テキスタイルトランスデューサ、またはスクリーン、または振動装置、または可聴装置、または照明装置、または情報を発信することができる装置、またはメモリモジュール、またはシリアル通信モジュールまたは無線周波数通信モジュール（Ｚｉｇｂｅｅ技術、Ｂｌｕｅｔｏｏｔｈ（登録商標）等を使用）、または「Ｗｉ−Ｆｉ」通信モジュール、または同様の装置等である。
【００５７】
柔軟性を向上させるために、ＴＭＢ（１００）は、ＣＰＵ（６００）および周辺要素（６０１）の中に、端子を組み込むことができる。これにより、従来のテキスタイルコネクタを使用することにより、モジュラー式で、交換可能な、簡単な設計が可能になる。従来のテキスタイルコネクタとしては、スナップ、ホックと留め穴、ホックと輪（ベルクロ（登録商標）：面ファスナー）、または同様の要素等がある。本発明のこの態様は、図４の代表的な実施形態に示されている。
【００５８】
更に、これら代表的な端子は、適切な特性を有し、これにより、ＣＰＵ（６００）または周辺要素（６０１）を交換可能にして、種々の異なる変数に関して、監視、信号化、情報伝達、または制御を行うことができる。
【００５９】
各端子は、テキスタイル操作技術を使用して、所定のルーティングに固着される。これにより、ＴＭＢの構成要素間の信号の伝達が可能になる。例えば、スナップ（６０１）の形態の代表的な端子は、対応するルーティング（６０２）に縫い付けられて、これにより、周辺要素（６０１）と、ＣＰＵ（６００）との間の通信を容易に行うことができる。
【００６０】
ＴＭＢ（１００）の最後の代表的な実施形態は、図５に示されている。この実施形態は、ルーティング（２００）、ＣＰＵ（３００）、入力周辺要素（４００）、および出力周辺要素（５００）を含んでいる。これにより、ユーザは、オプションメニューを選択して、例えば公共施設の照明等の、ユーザが関心を持つ対象を操作することができる。
【００６１】
これまでの記述は、単に本発明の原理を説明しただけである。説明した実施形態の様々な変更や改変は、本明細書の教示を考慮すれば、当業者には明らかであると思う。
【００６２】
本発明を実施するための好適な手法
特定のＣＰＵおよび周辺要素に適合したテキスタイルマザーボード（ＴＭＢ）を使用することによって、衣服は、監視、通知、および制御機能を有することができる。例えば、定期的にＣＰＵによってスキャンされる周辺要素を有するガウンの形態で構成されたインテリジェントテキスタイルは、これを使用すれば、温度を監視し、発熱があるか否かを通知することができる。また、ボタンを操作して、支援を呼ぶこともできる。また更に、モジュラー式で交換可能な設計によって、入力周辺要素は、例えば、温度検出器から脈拍検出器に変更することもできる。
【００６３】
所定の構成のＴＭＢ、ＣＰＵ、および周辺要素を使用することにより、インテリジェントテキスタイルは、着用者に対して、事象に関する情報を伝達することができる。例えば、インテリジェントテキスタイルは、可視、振動、または可聴警報によって、湿気の存在に関する情報を伝達することができる。更に、インテリジェントテキスタイルは、着用者が持つタブレット、またはスマートフォン等の携帯装置に対して、例えばスポーツイベントの際に、更なる情報を伝達することができる。
【００６４】
最後に、制御機能を有するように設計された、特定の構成のＴＭＢ、ＣＰＵ、および周辺要素を使用することによって、インテリジェントテキスタイルは、関心のあるさまざまな対象を操作するためのプラットフォームとして機能することができる。例えば、インテリジェントテキスタイルは、オプションメニューを選択して、第三者への支援のための呼び出しを操作することができる。更に、公共施設の照明を制御することもできる。
【００６５】
ＴＭＢは、テキスタイル基板層上に設計される。テキスタイル基板層は、分離基板層として、または必要な周辺要素ならびに追加の要素を組み込むための支持基板層として機能することができる。
【００６６】
組み合わせ論理を使用することによって、この種のテキスタイル技術を使用することができ、これにより、特定の機能を作動させることができる。例えば、代表的な実施形態においては、１投、２投、または３投スイッチを使用して、タブレット等の電子装置を制御して所定の機能を実行することができる。これは、図９および図１５ｃに示されている。このシステムは、幼児学習刺激システム、または温度、所在、睡眠条件等の所定のパラメータの監視等の、種々の異なる用途に使用することができる。
【００６７】
幼児の学習刺激着衣の代表的な実施形態は、少なくとも１つのスイッチ（１Ｐ１Ｔ、１Ｐ２Ｔ、または１Ｐ３Ｔ）、および他の要素で構成され、他の要素は、電子装置、またはタブレットと通信することができる。他の要素は、着脱可能、かつモジュラー化された構成であり、ＴＭＢが所在する衣服の内部に、コネクタまたは端子を使用して取り付けることができるようになっている。
【００６８】
１Ｐ１Ｔスイッチの１つを、１Ｐ２Ｔスイッチの１つに接続することができ、これらのスイッチは、どちらも、テキスタイル信号通信要素、または信号通信モジュールと接続される端子に接続される。必要に応じて、１つの１Ｐ３Ｔスイッチを使用することもできる。
【００６９】
異なるスイッチ間の接続は、組み合わせ論理を使用することにより実行することができる。組み合わせ論理は、ユーザが起動したスイッチ、従って、通信モジュールに対する固有の信号の送信を判定することができる。電子装置の制御は、受信した信号に基づいて、コンピュータプログラムによって実行される。
【００７０】
ＴＭＢの１つの層の中におけるスイッチの配置は、図９および図１５ｃの代表的な実施形態の中で、詳細に示されている。１Ｐ１Ｔ（７００）スイッチの投（ｔｈｒｏｗ）は、１Ｐ２Ｔ（８００）スイッチの１つの投（ｔｈｒｏｗ）に接続することができ、また、１Ｐ２Ｔ（８００）スイッチの投（ｔｈｒｏｗ）は、１Ｐ３Ｔ（９００）スイッチの投（ｔｈｒｏｗ）に接続することができる。この要領で、少なくとも３つの１Ｐ１Ｔ（７００）スイッチと、３つの１Ｐ２Ｔ（８００）スイッチと、１つの１Ｐ３Ｔ（９００）スイッチとを使用することができる。組み合わせ論理を使用することにより、３入力を有する最大７つのスイッチを制御可能なＴＭＢを形成することができ、この機能を達成することができる。これは、スイッチが論理ゲートとして作動して、判定を迅速に行うことができるからである。組み合わせ論理によって使用することができるスイッチの数は、（２＾Ｎ−１）で与えられる。ここで、Ｎは、ＴＭＢ設計の際に利用可能な入力の数である。上記の例では、Ｎ＝３であり、合計で７つのスイッチが利用可能である。従って、適合した論理ゲートは、例えば２進数で表した特定の信号値と関連づけることができる。これらは、図には（００１、０１０、１００）で示されている。従って、ユーザによって活性化されたスイッチは、符号化されて、明確に判定することができる。ＴＭＢの設計は、接続バス９６０および相互接続ソケットを組み込むこともできる。接続バス９６０および相互接続ソケットは、特定の制御装置に対する相互通信モジュールまたは制御モジュールを収容することができる。バス接続は、ファスナまたはスナップ、またはテキスタイル工業界で通常使用されている要素を使用して実現することができ、これにより、ＴＭＢまたはＴＭＢモジュールの電気電子素子間の信号の通信を行うことができる。ソケット９５０は、図１１ａ〜１１ｃに描かれているソケットと同様のソケットであってよい。バス間の相互接続、またオプションとしてＴＭＢ内のパッド間の相互接続は、従来のテキスタイルスナップ９５１、またはファスナ９５２を使用して行うことができる。
【００７１】
特定の構成に適合するために利用されなければならないスイッチと導電性ルーティング、またはバスの構成は、当業者には明らかであり、本明細書の説明から出発して、他の最適構成も決定することができる筈である。
【００７２】
図６および図８に示すように、本発明において開示されている代表的なスイッチは、前面層または最上層（７０１、８０１、９０１）、および背面層または底部層（７０２、８０２、９０２）によって構成されている。どちらの層も、導電性テキスタイル材料で形成され、分離材料を有する層（７０３、８０３、９０３）と重ね合わされているか、分離材料を有する層（７０３、８０３、９０３）によって分離されている。分離材料を有する層（７０３、８０３、９０３）は、同様にテキスタイルであってよく、２つの導電層（上部層および下部層）の間で通信ができるように構成されている。これは、特定のパタンに従った穿孔（７０６、８０６、９０６）を組み込むことにより実現される。これにより、上部導電層と下部導電層の特定の区画だけにおける接続が可能になる。
【００７３】
図６ａ、図７ａ、および図８ａの代表的な実施形態に示すように、分離材料（７０３、８０３、９０３）は、特定の穿孔パタン（７０６、８０６、９０６）を使用して設計される。これにより、スイッチの所定の区画内だけの接触とすることができる。この様式では、１つの１Ｐ１Ｔスイッチにおいては、穿孔７０６は、円形パタンに形成することができ、導電性区画の大部分において接触を可能にすることができる。１Ｐ２Ｔスイッチにおいては、パタンを分轄することができ、２つの分離された区画８０６を生成することができる。同様に、１Ｐ３Ｔスイッチにおいては、分離材料を、３つの穿孔区画９０６を有するように構成することができる。
【００７４】
スイッチは円形状を有するとして説明されているが、スイッチは、必要な極と投とを達成するために必要な分割数であれば、任意の形状であってもよい。これは、双方の導電層に関して、一方（上部層または下部層）が、スイッチの全区画（波線で示されている）（７０２、８０２、９０２）を包含し、他方（上部層または下部層）が、投として必要な極力多くの区画（実線で示す）（７０１、８０１、９０１）を包含することができるという条件を考慮して決められる。従って、１Ｐ１Ｔスイッチにおいては、両方の層は等しく、１Ｐ２Ｔスイッチにおいては、２つの層の内の１つの層は、２つの区画８０１を有することができ、これにより必要な投を形成し、１Ｐ３Ｔスイッチにおいては、２つの層の内の１つの層は、３つの区画９０１を有することができる。これらの特徴は、図６および図８に示されている。明らかに、双方の層を等しい数で分轄して、Ｎ極とＮ投とを有するスイッチを形成して、ＮＰＮＴスイッチに適合させることが可能である。同様に、分離層は、各スイッチの接触区画に応じて、必要な区画、穿孔、数とすることができる。
【００７５】
図１０は、本発明の代表的な実施形態を示す。図１０は、相互通信ソケット９５０を有する通信モジュールを示す。相互通信ソケット９５０は、通信ノード、またはコネクタ、またはバス９６０を有する。
【００７６】
図１２は、本発明の代表的な実施形態を示す。図１２は、接触区画またはパッドを示す。接触区画またはパッドは、テキスタイル材料に適合している。パッドは、これを使用して、例えばスナップ、ピン、または同様の構成要素等の構成要素とＴＭＢのルーティングまたバスとを結合する。
【００７７】
図１３に示す本発明の代表的な実施形態においてば、２Ｐ２Ｔスイッチは、ベルクロ（登録商標）等のホックと輪結合体（面ファスナー）とともに使用することができる。ホックと輪結合体（面ファスナー）は、導電性テキスタイル材料に適合しており、テキスタイル接着材として機能する。この場合には、一方の区画は投として機能し、他方の区画は、極として機能する。ＴＭＢのこの実施形態は、ユーザが利用するブレスレットとして使用することができ、スイッチのタイプは、ホックと輪（面ファスナー）部分が結合されたときに回路が閉じられて活性になるスイッチに対応している。図１３に示されているＴＭＢは、温度センシング装置として構成され、ユーザの身体の一部にブレスレットを配置することによって、ユーザを監視することができる。ブレスレットは、通信モジュールを組み込むことができ、これにより、電話器またはタブレット等の移動装置と通信することができる。
【００７８】
図１５ａ〜図１５ｄに示されている本発明の代表的な実施形態においては、ＴＭＢ構成が示されている。このＴＭＢ構成は、ベッドカバーまたはベッドマットレス等のベッドルームテキスタイルまたはベッドルームリネンを監視することができる。この代表的実施形態では、７つのスイッチ（７００、８００、９００）を有するＴＭＢが組み込まれており、上述した構成にするか、あるいは別の様式で構成することができ、湿気の存在等の、最も関心があるパラメータを監視することができる。分離層は、穿孔パタン１５０１を組み込むことができ、これにより、スイッチと接触パッド１５０２、１５０３との間の電気通信を行うことができる。
【００７９】
図９に示す本発明の代表的な実施形態を、幼児学習刺激システムとして構成することができる。この実施形態では、図に示すように、少なくとも１つのスイッチ（７つのスイッチであることが望ましい）が組み込まれており、幼児は、幼児の体の寸法にフィットするように着衣した衣服を使用して、この装置を使用し、テキスタイル衣服を制御することにより、無線周波数を使用して、タブレット等の電気装置と対話をすることができる。これは、例えば、物語の筋道に従って、それらを操作することにより、所定の対話タスクを実行する。この様式では、電子装置が必要とする命令は、幼児の衣服の中のＴＭＢを使用して実行される。従って、幼児は、装置と対話をすることができ、これにより、幼児の認識能力が開発される。
【００８０】
図１６に示す本発明の代表的な実施形態は、ＴＭＢパタンを示す。このＴＭＢパタンは、湿度トランスデューサ、運動トランスデューサ、または（テキスタイル）温度トランスデューサを使用して、幼児を監視することができる。これらのトランスデューサは、衣服の中に組み込むことができ、幼児の発熱、おむつ交換の必要性、または幼児が自発的または不随意運動をしているか否か等を判定することができる。同様にして、心臓リズムを判定するトランスデューサモジュールを構成することができる。情報は、移動装置に伝達することができ、これにより、幼児の両親、または幼児の介護者は、幼児の活動を監視することができる。適切なソケットおよびバスを使用して、必要な監視を実行することができる。
【００８１】
上述した代表的な装置は、電池を使用して作動させることができる。電池ホルダは、図１４に示されている。図１４は、電池に対する定置を示している。電池は、ＴＭＢとともに組み込まれ、ＴＭＢは、接触端子またはパッドを組み込んで構成されている。
【符号の説明】
【００８２】
１００  第１の要素（ＴＭＢ）
１０１  導電性ルーティング
１０２  中央処理ユニット
１０３  周辺要素
１０４  多層構成
１０５  第１の層
１０６  第２の層
１０７  第３の層
１０８  第４の層
１０９  穿孔（第１のＶＩＡ）
１１０  穿孔（第２のＶＩＡ）
１１１  穿孔（第３のＶＩＡ）
２００  第２の要素（ルーティング構造）
２０１  要素
２０２  導電性ルーティング
２０３  導電性ルーティング
２０４  導電性ルーティング
２０５  導電性ルーティング
２０６  テキスタイルＶＩＡ
２０７  Ｘ−Ｙルーティング
２０８  ＣＰＵ
２０９  情報レジスタ手段（周辺要素）
３００  第３の要素（ＣＰＵ）
４００  第４の要素（入力周辺要素）
５００  第５の要素（出力周辺要素）
６００  ＣＰＵ（中央処理ユニット）
６０１  周辺要素
６０２  導電性ルーティング  
７００  １Ｐ１Ｔスイッチ
７０１  投（最上層）
７０２  スイッチ（底部層）
７０３  分離材料
７０６  穿孔パタン
８００  １Ｐ２Ｔスイッチ
８０１  投（最上層）
８０２  スイッチ（底部層）
８０３  分離材料
８０６  穿孔パタン
９００  １Ｐ３Ｔスイッチ
９０１  投（最上層）
９０２  スイッチ（底部層）
９０３  分離材料
９０６  穿孔パタン
９５０  相互通信ソケット
９５１  スナップ
９５２  ファスナ
９６０  接続バス
１５０１  穿孔パタン
１５０２  接触パッド
１５０３  接触パッド
【図１Ａ】
2017518145.tif 000003
【図１Ｂ】
2017518145.tif 000004
【図２Ａ】
2017518145.tif 000005
【図２Ｂ】
2017518145.tif 000006
【図２Ｃ】
2017518145.tif 000007
【図３】
2017518145.tif 000008
【図４】
2017518145.tif 000009
【図５】
2017518145.tif 000010
【図６】
2017518145.tif 000011
【図６ａ】
2017518145.tif 000012
【図７】
2017518145.tif 000013
【図７ａ】
2017518145.tif 000014
【図８】
2017518145.tif 000015
【図８ａ】
2017518145.tif 000016
【図９】
2017518145.tif 000017
【図１０】
2017518145.tif 000018
【図１１ａ】
2017518145.tif 000019
【図１１ｂ】
2017518145.tif 000020
【図１１ｃ】
2017518145.tif 000021
【図１２】
2017518145.tif 000022
【図１３】
2017518145.tif 000023
【図１４】
2017518145.tif 000024
【図１５ａ】
2017518145.tif 000025
【図１５ｂ】
2017518145.tif 000026
【図１５ｃ】
2017518145.tif 000027
【図１５ｄ】
2017518145.tif 000028
【図１６】
2017518145.tif 000029
【国際調査報告】
2017518145.tif 000030
2017518145.tif 000031
2017518145.tif 000032
2017518145.tif 000033